(57)【要約】【課題】延期しては意味をなさない自動放送が発生しないようにした無線通信システムを提供する。【解決手段】親局装置１に、自動放送毎に自動放送の指定日時を延期するか中止するかを示す延期指定情報を含んだ自動放送テーブルと、自動放送の指定日時になったとき別の通信が行われていることを検出する別通信検出部１３と、この別通信検出部１３が別通信を検出した場合に、延期指定情報を判別してその自動放送を中止する自動放送中止判定部１５と、別通信検出部１３が別通信を検出した場合に、延期指定情報を判別して別の通信が終わるまでその自動放送を延期する自動放送延期判定部１６とを設けた。【選択図】図１
2011217219.tif 000002
【特許請求の範囲】
【請求項１】
操作卓と基地局とからなる親局装置と、この親局装置と無線通信を行う子局装置とを備えた無線通信システムにおいて、前記親局装置は、自動放送毎に自動放送の指定日時を延期するか中止するかを示す延期指定情報を含んだ自動放送テーブルを保持し、自動放送の指定日時になったとき別の通信が行われていることを検出した場合に、前記延期指定情報を判別して前記別の通信が終わるまでその自動放送を延期するか、その自動放送を中止するかを判定する自動放送判定部を設けたことを特徴とする無線通信システム。
【発明の詳細な説明】
【技術分野】
【０００１】
本発明は、市町村デジタル同報通信システム等として知られる無線通信システムに関する。
【背景技術】
【０００２】
従来のこの種の無線システムは、操作卓と基地局とからなる親局装置と、この親局装置と無線通信を行う子局装置とを備えて構成され、親局装置内には自動放送の指定日時および自動放送内容を登録し、その指定日時になったとき自動放送内容を子局装置に対して無線送信する構成が知られている（例えば、特許文献１を参照）。
【先行技術文献】
【特許文献】
【０００３】
【特許文献１】特開２００３−１７４４２３号公報
【発明の概要】
【発明が解決しようとする課題】
【０００４】
しかしながら、従来の無線システムで自動放送を行う場合、システムの運用状況によっては登録した自動放送の指定時刻に別の放送を実施していることがある。そのような状況では、別の放送終了後にその自動放送を実施することになるが、その自動放送が時報等のようにふさわしい時間タイミングがある場合、延期すると意味をなさなくなってしまうことがある。
【０００５】
そこで、本発明の目的は、延期しては意味をなさない自動放送が発生しないようにした無線通信システムを提供することにある。
【課題を解決するための手段】
【０００６】
本発明は上記目的を達成するために、操作卓と基地局とからなる親局装置と、この親局装置と無線通信を行う子局装置とを備えた無線通信システムにおいて、前記親局装置は、自動放送毎に自動放送の指定日時を延期するか中止するかを示す延期指定情報を含んだ自動放送テーブルを保持し、自動放送の指定日時になったとき別の通信が行われていることを検出した場合に、前記延期指定情報を判別して前記別の通信が終わるまでその自動放送を延期するか、その自動放送を中止するかを判定する自動放送判定部を設けたことを特徴とする。
【発明の効果】
【０００７】
本発明による無線通信システムは、自動放送の指定時刻に別の通信を実施していたとしても、上述した自動放送判定部によって、時報等のようにふさわしい時間タイミングがあって延期すると意味をなさなくなってしまうものか、別通信終了後に自動放送を実施しても問題ないものかを判別し、前者であればその自動放送を中止にし、後者であればその自動放送を延期することができる。従って、延期しては意味をなさない種類の自動放送の場合、その指定日時に別通信を行っていないときには延期することなく直ちに自動放送を実施することができ、しかも、自動放送の指定日時に別通信を行っているときにはその自動放送を中止することになり、最終的には種々の状況で延期しては意味をなさない自動放送が実際に発生しないような無線通信システムを得ることができる。
【図面の簡単な説明】
【０００８】
【図１】図１は、本発明の一実施の形態による無線通信システムの要部である親局装置を示すブロック構成図である。
【図２】図２は、図１に示した親局装置を使用した無線通信システム全体の概略構成図である。
【図３】図３は、図１に示した親局装置における登録部に登録した自動放送テーブルの説明図である。
【図４】図４は、図１に示した親局装置における自動放送登録処理動作を示すフローチャートである。
【図５】図５は、図１に示した親局装置における自動放送処理動作を示すフローチャートである。
【発明を実施するための形態】
【０００９】
以下、本発明の無線通信システムを図面に基づいて説明する。
【実施例１】
【００１０】
図２は、本発明の一実施の形態による無線通信システムの全体構成を示す概略構成図である。
親局装置１は、操作卓２と基地局３とを有して構成し、この基地局３を通して無線通信を行う複数台の子局装置４Ａ〜４Ｎはそれぞれ異なる場所に設置されている。これらの子局装置４Ａ〜４Ｎは、例えば基地局３と直接無線通信を行う子局装置４Ａや、中継局５を介して基地局３と無線通信を行う子局装置４Ｂ，４Ｎなどを有して構成されている。
【００１１】
図１は、上述した親局装置１の要部を示すブロック構成図である。
自動放送のための設定や各子局装置４Ａ〜４Ｎへの手動によるメッセージ送信操作時などに使用するように操作卓２上に構成した操作部６と、この操作部６からの操作や後述する自動放送プログラムに従って親局装置全体の通信を制御する通信制御部７と、親局装置１と子局装置４Ａ〜４Ｎ間の無線通信の送受信を行う送受信部８と、この送受信部８に接続した基地局３の無線通信用アンテナ９と、指定した日時に各子局装置４Ａ〜４Ｎへの自動放送を制御する自動放送制御部１０と、操作部６から入力して詳細を後述する指定日時やその自動放送内容や延期指定などを関連付けた自動放送テーブルを登録した登録部１１と、この登録部１１に登録した自動放送の指定日時を監視する指定日時監視部１２と、この指定日時監視部１２で監視する指定日時に達したとき指定していない別の通信が行われているか否かを検出する別通信検出部１３と、この別通信検出部１３により別の通信が行われていることを検出したとき登録部１１に登録した自動放送テーブルの延期指定を参照してその指定日時の自動放送を延期して実行すべきか中止にすべきかを判定する自動放送判定部１４とを有している。
【００１２】
この自動放送判定部１４をより具体的に説明すると、登録部１１に登録した自動放送の指定日時になったとき別通信検出部１３が別通信が行われていることを検出した場合に、その自動放送を中止するよう自動放送制御部１０へ出力する自動放送中止判定部１６と、登録部１１に登録した自動放送の指定日時になったとき別通信検出部１３が別の通信が行われていることを検出した場合に、別通信が終わるまでその自動放送を延期するよう自動放送制御部１０へ出力する自動放送延期判定部１５とを有している。
【００１３】
ここでは、指定日時を監視している指定日時監視部１２が自動放送テーブルに登録した指定日時に達したことを検出したとき、この自動放送とは異なる別の通信が行われていないことを別通信検出部１３が検出した場合、従来と同様にその自動放送を実行する処理プログラムが構成されている。また、この処理プログラムは、指定日時監視部１２が自動放送テーブルに登録した指定日時に達したことを検出したものの、この自動放送とは異なる別の通信が行われていたことを別通信検出部１３が検出し、その後、別通信検出部１３が別通信が終了したことを検出した場合にも自動放送を実行するために作動する。以下の説明では、従来のこの処理プログラムと異なる部分について説明する。
【００１４】
図３は、登録部１１内に登録した自動放送テーブルの説明図である。
この自動放送テーブルは、自動放送番号１７毎に、それぞれの自動放送を実行する日時を指定する指定日時１８と、それぞれの自動放送の内容を定める自動放送内容１９と、その自動放送が指定した指定時間に別の通信が行われていた場合に指定時間を延期して実行するものか延期せずに中止するものかを指定する延期指定２０とを関連付けている。
【００１５】
例えば、自動放送番号「１」は、指定時間１８が「１０：３０」、自動放送内容１９が簡略化して示す「Ａ」で、かつ延期指定２０としては指定時間を多少延期しても良いことを示す「有」が予め登録されている。これに対して、自動放送番号「２」では、時報のように指定時間１８が「所定時間帯内の一時間毎」、自動放送内容１９が簡略化して示す「Ｂ」で、かつ延期指定２０としては指定時間を延期するような状況ではその自動放送を中止することを示す「無」が予め登録されている。このように自動放送テーブルの延期指定２０欄と、そこに登録した有無表示によって延期指定情報を形成している。
【００１６】
次に、登録部１１内の自動放送テーブルに自動放送を登録するときの処理動作を図４のフローチャートを用いて説明する。
先ず、作業者は親局装置１の操作部６から自動放送登録処理を指定すると、自動放送制御部１０によって予め格納した自動放送登録プログラムが起動する。そこで、作業者は、自動放送の各指定要素する。ステップ１では従来と同様に、図３に示した自動放送テーブルように新たな自動放送番号１７を指定し、その自動放送の放送日時を指定する指定日時１８と、その自動放送の自動放送内容１９とを登録する。次いで、作業者は、ステップＳ２として自動放送テーブルに新たに追加した自動送信判定部１４のために、その自動放送が放送時間を多少延期しても良いものか、それとも直ちに自動放送を実行できない場合には中止する種類のものかを判断する。この判定の結果、その自動放送がその指定時間になったとき別の通信が行われていた場合に放送時間を延期しても良いものであれば、ステップＳ３に進んで延期指定２０を「有」に設定する。一方、その自動放送がその指定時間になったとき別の通信が行われていた場合には放送時間を延期せずに中止すべきものであれば、ステップＳ４に進んで延期指定２０を「無」に設定する。
【００１７】
例えば、自動放送番号「１」のように指定時間１８が「１０：３０」で、自動放送内容１９が簡略化して示す「Ａ」で登録したが、ステップＳ２の判定で自動放送の指定時間を多少延期して放送しても良いものの場合、ステップＳ３に進んで延期指定２０を「有」に設定する。これに対して、自動放送番号「２」のように指定時間１８が「所定時間帯の１時間毎」で、自動放送内容１９が簡略化して示す「Ｂ」で登録したが、ステップＳ２の判定で時報のようにその指定時間に達したときに別の通信が行われていたとき、その別通信が終了した後の放送では意味がなく自動放送を中止すべきであると判定された種類のものである場合は、ステップＳ４に進んで延期指定２０を「無」に設定する。
【００１８】
このようにして、図４に示したフローチャートに従って自動放送の各要素を指定すると、図３に示したような自動放送テーブルが作成される。その後、操作部６から登録処理を実施すると、完成した自動放送テーブルの内容データが登録部１１に保持される。
【００１９】
次に、自動放送を実際に行う場合の処理動作を図５に示したフローチャートを用いて説明する。
先ず、登録部１１内の自動放送テーブルに登録した各自動放送の指定時間１８を監視している指定日時監視部１２が、ステップＳ５で、例えば、自動放送番号「１」の指定日時「１０：３０」に達したことを検出したとする。すると、自動放送制御部１０に通知する。自動放送制御部１０は、ステップＳ６で別通信検出部１３を用いて通信制御部７などを通して現在、別の通信を実施中か否かを検出する。その結果、別通信検出部１３が別の通信を検出していない場合、自動放送制御部１０は、それを別通信検出部１３からの自動放送開始信号として受け取り、ステップＳ７で登録部１１内の指定時間１８に対応する自動放送内容１９の簡略化して示す「Ａ」を抽出し、従来の場合と同様にして通信制御部７によりその自動放送を直ちに実施する。
【００２０】
一方、ステップＳ６の判定で別通信検出部１３が別の通信が行われていると判定した場合、自動送信判定部１４は図３に示した自動放送テーブルの延期指定情報を参照してステップＳ８で延期指定判定処理を行い、その後の処理を決定する。この延期指定判定処理は、図３に示した自動放送番号「１」のように延期指定２０が「有」となっていて延期指定情報の場合、その自動放送の指定時間１８に別の通信が行われていたとしても放送時間を延期しても良いものであることを示しているため、自動送信判定部１４の自動放送延期判定部１６がこれを検出して、自動放送延期信号を自動放送制御部１０へ出力する。これを受けた自動放送制御部１０は、ステップＳ９に進んで別通信が完了するまで自動放送実施を延期する。その後、別通信検出部１３がこの別通信が終わったことを検出すると、自動放送制御部１０はこれを別通信検出部１３からの自動放送開始信号として受け取り、登録部１１内の対応する自動放送内容１９の簡略化して示す「Ａ」を抽出し、従来の場合と同様に通信制御部７によりその自動放送を実施する。
【００２１】
しかしながら、登録部１１内の自動放送テーブルに登録した各自動放送の指定時間１８を監視している指定日時監視部１２が、ステップＳ５で、例えば、自動放送番号「２」の指定日時１８に達したことを検出すると、先程の場合とは一部異なる処理が行われる。
【００２２】
指定日時監視部１２の検出信号が自動放送制御部１０に通知されると、自動放送制御部１０は、ステップＳ６で別通信検出部１３を用いて通信制御部７などを通して現在、別の通信を実施中か否かを検出する。その結果、別通信検出部１３が別の通信を検出していない場合、自動放送制御部１０は、それを別通信検出部１３からの自動放送開始信号として受け取り、ステップＳ７で登録部１１内の指定時間１８に対応する自動放送内容１９の簡略化して示す「Ｂ」を抽出し、先程の場合と同様に通信制御部７によりその自動放送を直ちに実施する。
【００２３】
一方、ステップＳ６の判定で別通信検出部１３が別の通信が行われていると判定した場合、自動送信判定部１４は図３に示した自動放送テーブルの延期指定情報を参照してステップＳ８で延期指定判定処理を行うと、図３に示した自動放送番号「２」の延期指定２０が「無」となっているため、先程の場合とは異なる処理を行う。つまり、自動送信判定部１４が図３に示した自動放送テーブルの延期指定情報を参照したとき、延期指定２０が「無」となっていてその指定時間に別通信が行われていたときには別通信の完了を待つことなく中止すべきであることを示しているため、自動送信判定部１４の自動放送中止判定部１５は、自動放送中止信号を自動放送制御部１０へ出力する。これを受けた自動放送制御部１０は、ステップＳ１０に進んで別通信が完了するのを待つことなく、この自動放送を中止する。
【００２４】
このようにして、図３に示した自動放送テーブルの延期指定２０とそこに登録された有無指定で示す延期指定情報によって、ステップＳ８で自動送信判定部１４は異なる判定を行い、延期指定２０が「有」の場合はステップＳ９に進んで自動送信判定部１４の自動放送延期判定部１６により別通信が終了するまで自動放送を延期し、一方、延期指定２０が「無」の場合はステップＳ１０に進んで自動送信判定部１４の自動放送中止判定部１５により別通信の終了を待つことなく直ちにその自動放送を中止する処理を行う。
【００２５】
このような無線通信システムによれば、親局装置１に、自動放送毎に自動放送の指定日時を延期するか中止するかを示す延期指定情報を含んだ自動放送テーブルを保持し、自動放送の指定日時になったとき別の通信が行われていることを検出した場合に、延期指定情報を判別して別の通信が終わるまでその自動放送を延期するか、その自動放送を中止するかを判定する自動放送判定部１４を設けたため、自動放送の時刻に別の通信を実施していたとしても、上述した自動放送判定部１４によって、時報等のようにふさわしい時間タイミングがあって延期すると意味をなさなくなってしまうものか、別通信終了後に自動放送を実施しても問題ないものかを判別し、前者であればその自動放送を中止にし、後者であればその自動放送を延期することができる。従って、延期しては意味をなさない種類の自動放送の場合、その指定日時に別通信を行っていないときには延期することなく直ちに自動放送を実施し、また、自動放送の指定日時に別通信を行っているときにはその自動放送を中止することになり、最終的には種々の状況で延期しては意味をなさない自動放送が実際に発生しないような無線通信システムを得ることができる。逆に、指定日時に放送できなくても延期して放送すべき自動放送を確実に放送することができる。
【００２６】
より具体的には、親局装置１に、自動放送毎に自動放送の指定日時を延期するか中止するかを示す延期指定情報を含んだ自動放送テーブルと、自動放送の指定日時になったとき別の通信が行われていることを検出する別通信検出部１３と、この別通信検出部１３が別通信を検出した場合に、延期指定情報を判別してその自動放送を中止する自動放送中止判定部１５と、別通信検出部１３が別通信を検出した場合に、延期指定情報を判別して別の通信が終わるまでその自動放送を延期する自動放送延期判定部１６とを設けたため、自動放送の時刻に別の通信を実施していたとしても、時報等のようにふさわしい時間タイミングがあって延期すると意味をなさなくなってしまうものか、別通信終了後に自動放送を実施しても問題ないものかを自動放送中止判定部１５および自動放送延期判定部１６によって判別することができる。従って、延期しては意味をなさない種類の自動放送の場合、その指定日時に別通信を行っていないときには延期することなく直ちに自動放送を実施することができのるは勿論、自動放送の指定日時に別通信を行っているときには自動放送中止判定部１５によってその自動放送を中止することができ、最終的には種々の状況で延期しては意味をなさない自動放送が実際に発生しないようにした無線通信システムを得ることができる。
【産業上の利用可能性】
【００２７】
本発明による無線通信システムは、図１および図２に示した親局装置の構成に限らず、他の構成のものにも適用することができる。
【符号の説明】
【００２８】
１    親局装置
２    操作卓
３    基地局
４Ａ〜４Ｎ    子局装置
５    中継局
６    操作部
７    通信制御部
８    送受信部
９    基地局アンテナ
１０  自動放送制御部
１１  登録部
１２  指定日時監視部
１３  別通信検出部
１４  延期指定判定部
１５  自動放送中止判定部
１６  自動放送延期判定部
１７  自動放送番号
１８  指定日時
１９  自動放送内容
２０  延期指定
【図１】
2011217219.tif 000003
【図２】
2011217219.tif 000004
【図３】
2011217219.tif 000005
【図４】
2011217219.tif 000006
【図５】
2011217219.tif 000007